(57)【要約】【課題】  ハードディスクが動作中にバイブレータの振動が繰り返される状況にあると判断される間は、ハードディスクの動作を停止し、または、バイブレータを振動させない移動通信端末装置を提供する。【解決手段】  未確認の不在着信または未読メールが存在する際に上下筐体が開状態に変化すると（ステップＳ１０１ａ）、ハードディスクが動作中であれば（ステップＳ１０１ｃの「Ｙｅｓ」）、ハードディスクの動作を停止させた上で（ステップＳ１０１ｅ）、バイブレータを動作させる（ステップＳ１０１ｇ）。そして、一定の時間に渡って、バイブレータの動作を禁止する（ステップＳ１０１ｉ、Ｓ１０１ｊ）ことによって、未確認の不在着信または未読メールが存在する際に上下筐体が開状態に変化しても、バイブレータは動作しない。【選択図】  図４
2007251551.tif 000002
【特許請求の範囲】
【請求項１】
入力手段と、
記憶された情報へ記憶素子の機械的な動きを伴ってアクセスする情報記憶手段と、
前記入力手段から入力された所定の操作に応じて振動を発生する振動手段と、
前記情報記憶手段が動作中に前記所定の操作が前記入力手段から入力された場合、前記情報記憶手段の動作を停止させ、前記振動手段を前記所定の操作に応じて振動させた後、前記情報記憶手段の動作を再開させ、前記振動手段を所定の時間に渡って振動させない制御手段と
を有することを特徴とする移動通信端末装置。
【請求項２】
少なくとも第１の状態と第２の状態とに筐体の状態を変化可能である移動通信端末装置であって、
前記第１の状態と前記第２の状態とを検出可能な検出手段と、
記憶された情報へ記憶素子の機械的な動きを伴ってアクセスする情報記憶手段と、
振動を発生する振動手段と、
不在着信があることを記憶する通信制御手段と、
前記第１の状態で前記通信制御手段によって前記不在着信があることが記憶され、かつ、前記情報記憶手段が動作中である場合に、前記検出手段によって前記第２の状態であることが検出されると、前記情報記憶手段の動作を停止させて、前記振動手段を振動させる報知制御手段とを有し、
前記報知制御手段は、前記振動手段を振動させた後の所定の時間に渡り、前記情報記憶手段が動作中である場合、前記振動手段を振動させない
ことを特徴とする移動通信端末装置。
【請求項３】
入力手段と、
記憶された情報へ記憶素子の機械的な動きを伴ってアクセスする情報記憶手段と、
前記入力手段から入力された第１の所定の操作に応じて振動を発生する振動手段と、
前記情報記憶手段が動作中に前記第１の所定の操作が前記入力手段から入力された場合、前記入力手段から前記第１の所定の操作と異なる第２の所定の操作が入力されるまで、前記情報記憶手段の動作を停止させて、前記振動手段を前記第１の所定の操作に応じて振動させる競合回避制御手段と
を有することを特徴とする移動通信端末装置。
【請求項４】
複数の入力素子からなる入力手段と、
表示手段と、
記憶された情報へ記憶素子の機械的な動きを伴ってアクセスする情報記憶手段と、
所定の振動パターンで振動する振動手段と、
前記振動パターンの識別情報を前記表示手段に表示し、前記入力手段の所定の入力素子が操作されると前記表示手段に表示された振動パターンの１つを選択して、その選択された振動パターンで前記振動手段を振動させる振動選択手段と、
前記振動選択手段が前記振動パターンの識別情報を前記表示手段に表示しているとき、前記情報記憶手段の動作を禁止する制御手段と
を有することを特徴とする移動通信端末装置。
【請求項５】
複数の入力素子からなる入力手段と、
表示手段と、
記憶された情報へ記憶素子の機械的な動きを伴ってアクセスする情報記憶手段と、
所定の振動パターンで振動する振動手段と、
前記振動パターンの識別情報を前記表示手段に表示し、前記入力手段の所定の入力素子が操作されると前記表示手段に表示された振動パターンの１つを選択して、その選択された振動パターンで前記振動手段を振動させる振動選択手段と、
前記情報記憶手段が動作中であるときに前記振動パターンの１つが選択されると、前記情報記憶手段の動作を停止させる制御手段と
を有することを特徴とする移動通信端末装置。
【発明の詳細な説明】
【技術分野】
【０００１】
本発明は、移動通信端末装置に係り、特に、バイブレータとハードディスクとの同時動作によるハードディスクへの悪影響を避ける処理に関する。
【背景技術】
【０００２】
移動通信端末装置がバイブレータを有し、着信報知などの目的で振動させる処理が知られている。また、移動通信端末装置がハードディスクを有し、例えば、ハードディスクに記憶された音楽を再生する処理が知られている。ここで、ハードディスクは、円盤状の板材に塗布または蒸着された磁性体を記憶素子とし、その板材の回転とヘッドの移動を伴って所望の情報の読み書きを行う。以後、磁性体が塗布または蒸着された円盤状の板材を、省略して板材と称する。
【０００３】
そこで、ハードディスクで情報の読み書きが行われている時にバイブレータが振動すると、ハードディスクのヘッドの移動に影響を及ぼして情報の読み書きが正常に行われない可能性がある。更に、ハードディスクのヘッドと磁性体とが接触することによって損傷し、その後の読み書きが不能になる恐れが皆無ではない。
【０００４】
そこで、バイブレータと、ハードディスクとの双方を同時に動作させる状況に至った場合、同時に動作させることを避ける、即ち、それらのいずれか一方の動作を停止させて、他方を動作させる処理が知られている（例えば、特許文献１参照。）。
【特許文献１】特開２００３−１７９６７１号公報（第２頁、図１）
【発明の開示】
【発明が解決しようとする課題】
【０００５】
しかしながら、上述した特許文献１に開示されている方法では、バイブレータと、ハードディスクとのいずれの動作を停止させるのが適切であるかが明らかでない問題点があった。また、ハードディスクの動作の停止と再開とを繰り返すと、ハードディスクが消費する電力が増加し、更に、ハードディスクが劣化する可能性がある問題点があった。
【０００６】
本発明は上記問題点を解決するためになされたもので、ハードディスクが動作中にバイブレータの振動が繰り返される状況にあると判断される間は、ハードディスクの動作を停止し、または、バイブレータを振動させない移動通信端末装置を提供することを目的とする。
【課題を解決するための手段】
【０００７】
上記目的を達成するために、本発明の移動通信端末装置は、入力手段と、記憶された情報へ記憶素子の機械的な動きを伴ってアクセスする情報記憶手段と、前記入力手段から入力された所定の操作に応じて振動を発生する振動手段と、前記情報記憶手段が動作中に前記所定の操作が前記入力手段から入力された場合、前記情報記憶手段の動作を停止させ、前記振動手段を前記所定の操作に応じて振動させた後、前記情報記憶手段の動作を再開させ、前記振動手段を所定の時間に渡って振動させない制御手段とを有することを特徴とする。
【０００８】
また、本発明の移動通信端末装置は、入力手段と、記憶された情報へ記憶素子の機械的な動きを伴ってアクセスする情報記憶手段と、前記入力手段から入力された第１の所定の操作に応じて振動を発生する振動手段と、前記情報記憶手段が動作中に前記第１の所定の操作が前記入力手段から入力された場合、前記入力手段から前記第１の所定の操作と異なる第２の所定の操作が入力されるまで、前記情報記憶手段の動作を停止させて、前記振動手段を前記第１の所定の操作に応じて振動させる競合回避制御手段とを有することを特徴とする。
【発明の効果】
【０００９】
本発明によれば、ハードディスクが動作中にバイブレータの振動が繰り返される状況にあると判断される間は、ハードディスクの動作を停止し、または、バイブレータを振動させない移動通信端末装置を提供することができる。
【発明を実施するための最良の形態】
【００１０】
以下に、本発明による移動通信端末装置の実施の形態を、図面を参照して説明する。図１は、本発明の実施形態に係る音楽を再生する折畳み型移動通信端末装置の上下筐体の折畳みを開いた時の外観を示す図である。図１（ａ）は側面図を、図１（ｂ）は正面図をそれぞれ示す。この移動通信端末装置は、上筐体ＭＳ１と下筐体ＭＳ２とが、ヒンジ部ＭＳ３によって回動自在に連結されてなる。
【００１１】
上筐体ＭＳ１の内面には、受話に用いられるスピーカ１４ａと、装置の使用者に操作を促す表示や、装置の使用者が操作した内容の表示や、カーソル位置や、装置の動作状態の表示などに用いられるバックライト付きのＬＣＤ（Liquid Crystal Display）からなるディスプレイ１５ａとが設置されている。
【００１２】
また、下筐体ＭＳ２の内面には、送話に用いられるマイクロフォン１４ｂと、複数のキースイッチからなるキーボード１６ａとが設けられている。また、下筐体ＭＳ２内には、電波の送受に用いられるアンテナ（図示せず）と、バイブレータ（図示せず）と、ハードディスク（図示せず）とが設置されている。更に、下筐体ＭＳ２の外面には、音楽再生用のスピーカ（図示せず）が設置されている。
【００１３】
キーボード１６ａは、各機能での確定や選択を指示するために用いられるワープ中央キーと、ワープ中央キーに隣接してワープ中央キーを取り囲んで設置され、ディスプレイ１５ａ上のカーソル位置の移動指示などに用いられるワープ十字キーとを含む。また、キーボード１６ａは、通信相手の電話番号などを指定し、また、トグル式の入力方式によってひらがな文字、アルファベット文字及び記号文字を入力するために用いられる数字キーと、移動通信端末装置の電源の投入及び切断などの動作指示の入力に用いられる複数の機能キーとを含んでいる。
【００１４】
更に、ヒンジ部ＭＳ３には、上下筐体ＭＳ１、ＭＳ２が開状態にあるか、または、閉状態にあるかを検出する開閉検出部（図示せず）が設置されて、その開閉検出部から開閉信号が出力されている。開閉検出部は、上筐体ＭＳ１の内側に設けられた凸部と、下筐体ＭＳ２の内面にあって、上下筐体ＭＳ１、ＭＳ２が閉状態にある際にその凸部によって押下される位置に設けられたキースイッチとからなり、そのキースイッチが押下されているか否かによって上下筐体ＭＳ１、ＭＳ２が閉状態にあるか、または、開状態にあるかを検出するが、これに限るものではない。
【００１５】
開閉検出部は、上下筐体ＭＳ１、ＭＳ２のそれぞれの内部であって、上下筐体ＭＳ１、ＭＳ２が閉状態にある際に近距離である位置に設けられた２つの磁石からなり、それらの磁石の間に働く磁力の有無によって上下筐体ＭＳ１、ＭＳ２が閉状態にあるか、または、開状態にあるかを検出しても良い。
【００１６】
図２は、本発明の実施形態に係る移動通信端末装置の構成を示すブロック図である。この移動通信端末装置は、開閉信号ＭＳ３ａが入力され、装置全体の制御を行う機能制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、ディスプレイ制御部１５と、ディスプレイ制御部１５によって指示された表示を行うディスプレイ１５ａと、キーボード制御部１６と、キースイッチが操作されると操作されたキースイッチを識別する情報をキーボード制御部１６に通知するキーボード１６ａとを含む。
【００１７】
更に、この移動通信端末装置は、バイブレータ制御部１７と、バイブレータ制御部１７によって要求された振動を行うバイブレータ１７ａと、記憶装置制御部１８と、電子メール及び／または音楽コンテンツを記憶し、記憶する情報を記憶装置制御部１８の要求によって読み書きするハードディスク１８ａと、電子メール送受信部２１と、音楽再生部２２と、音楽再生部２２によって再生された音楽を発生するスピーカ２２ａとを含む。
【００１８】
機能制御部１１は、タイマ制御部１１ａと、通信制御部１１ｂと、表示制御部１１ｃと、メニュー制御部１１ｄと、入力制御部１１ｅと、バイブレータ動作制御部１１ｆと、ハードディスク動作制御部１１ｇと、競合動作設定制御部１１ｈとを含み、競合回避情報１１ｉを記憶する。
【００１９】
上記のように構成された、本発明の実施形態に係る情報処理装置の各部の動作を、図２を参照して説明する。
【００２０】
タイマ制御部１１ａは、現在の時刻を要求に応じて送信する。また、所定のイベントの発生からの経過時間を計測して、指定された時間が経過した際に応答する。
【００２１】
通信制御部１１ｂは、キーボード１６ａの所定キー操作によって通話発信要求が行われたとの通知を入力制御部１１ｅから受信して、送受信部１３を制御して発呼及び通話の動作をさせる。また、電子メール送受信部２１の電子メール送信要求に応じて、その電子メールを送受信部１３を制御して送信させる。
【００２２】
また、通信制御部１１ｂは、送受信部１３から通話着信信号を受信すると、音楽再生部２２がハードディスク１８ａに記憶された音楽コンテンツを再生であれば、その再生を一時停止させる。そして、音楽再生部２２を制御して音楽再生部２２内に記憶された着信音をスピーカ２２ａから発生させて、及び／またはバイブレータ動作制御部１１ｆを制御してバイブレータ１７ａを振動させて着信を報知させる。そして、キーボード１６ａの所定キー操作によって着呼要求が行われたとの通知を入力制御部１１ｅから受信して、送受信部１３を制御して着呼及び通話の動作をさせる。
【００２３】
通話が終了されると、通信制御部１１ｂは、通話着信信号を受信した際に音楽再生部２２がハードディスク１８ａに記憶された音楽コンテンツを再生であれば、音楽再生部２２を制御して、一時停止させたその再生を再開させる。
【００２４】
また、通信制御部１１ｂは、送受信部１３から電子メール着信信号を受信すると、音楽再生部２２を制御して着信音をスピーカ２２ａから発生させて、及び／またはバイブレータ動作制御部１１ｆを制御してバイブレータ１７ａを振動させて着信を報知させ、電子メール送受信部２１を制御して電子メールを受信させる。そして、電子メール送受信部２１から、その受信された電子メールの表示動作が行われたとの通知を受信する。
【００２５】
更に、通信制御部１１ｂは、通話着信信号が受信され、その着信に対して着呼がされないまま、その通話の呼が発信元の通信装置によって切断された着信（以後、不在着信と称する。）の存在がキーボード１６ａの所定キー操作によって確認された旨の通知を入力制御部１１ｅから受信していない場合、未確認の不在着信の存在を通信制御部１１ｂ内に記憶する。
【００２６】
また、通信制御部１１ｂは、電子メール送受信部２１が受信した電子メールであって、電子メール送受信部２１によって表示されたとの通知を受信していない電子メール（以後、未読メールと称する。）の存在を通信制御部１１ｂ内に記憶する。
【００２７】
そして、通信制御部１１ｂは、未確認の不在着信の存在が記憶されている、または、未読メールの存在が記憶されている際に、開閉信号ＭＳ３ａが上下筐体ＭＳ１、ＭＳ２が閉状態である信号から上下筐体ＭＳ１、ＭＳ２が開状態である信号に変化した場合、バイブレータ動作制御部１１ｆを制御して、未確認の不在着信の存在、または、未読メールの存在をバイブレータ１７ａの振動により報知させる。
【００２８】
表示制御部１１ｃは、各部の要求に応じて、要求された情報をディスプレイ制御部１５を制御してディスプレイ１５ａに表示させる。
【００２９】
メニュー制御部１１ｄは、各部の要求に応じて、要求されたメニューを表示制御部１１ｃを制御してディスプレイ１５ａに表示させ、キーボード１６ａの所定のキーが操作された場合、入力制御部１１ｅを介してそのキーの識別子を受信して、上記要求をした各部に送信する。
【００３０】
入力制御部１１ｅは、キーボード１６ａの所定のキーが操作された場合、キーボード制御部１６を介してそのキーの識別子を受信して、各部に送信する。
【００３１】
バイブレータ動作制御部１１ｆは、バイブレータ１７ａを振動させる旨の各部の要求を受けると、バイブレータ制御部１７を制御してバイブレータ１７ａを振動させ、または、競合動作設定制御部１１ｈを経由してバイブレータ１７ａを振動させる。
【００３２】
具体的には、バイブレータ動作制御部１１ｆは、上述したように、通話着信信号が受信された際、通信制御部１１ｂからの要求に応じてバイブレータ制御部１７を制御してバイブレータ１７ａを振動させる。また、電子メール着信信号が受信された際に通信制御部１１ｂからの要求に応じて、及び、上下筐体ＭＳ１、ＭＳ２が開状態である信号に変化し、かつ、未確認の不在着信または未読メールが存在する際に通信制御部１１ｂからの要求に応じて、競合動作設定制御部１１ｈを経由してバイブレータ１７ａを振動させる。
【００３３】
これらの複数の場合にバイブレータ１７ａを振動させる振動パターンを決定するため、バイブレータ動作制御部１１ｆは、メニュー制御部１１ｄを制御して、振動パターンの識別情報の一覧からなるメニューをディスプレイ１５ａに表示させ、キーボード１６ａの所定のキー操作に応じて、競合動作設定制御部１１ｈを経由して指定された振動パターンでバイブレータ１７ａを振動させ、更に、それぞれの場合にバイブレータ１７ａを振動させる振動パターンを決定し、バイブレータ動作制御部１１ｆ内に記憶する。
【００３４】
ハードディスク動作制御部１１ｇは、ハードディスク１８ａの指定されたアドレスに記憶された情報を読み込み、または、情報を指定されたアドレスに書き出す（以後、指定されたアドレスに記憶された情報を読み込み、または、情報を指定されたアドレスに書き出すことをアクセスと称する。）旨の各部からの要求に応じて、競合動作設定制御部１１ｈにハードディスク１８ａへのアクセスの可否を問い合わせ、許可との応答を得た場合、記憶装置制御部１８を制御して、ハードディスク１８ａの指定されたアドレスに記憶された情報を読み込んで要求をした各部に送信し、または、ハードディスク１８ａの指定されたアドレスに情報を書き出す。
【００３５】
また、禁止との応答を得た場合、ハードディスク動作制御部１１ｇは、ハードディスク１８ａへのアクセスを行わない。更に、禁止との応答を得た際にハードディスク１８ａへのアクセスが行われている場合、ヘッドの退避及び板材の回転停止を行って動作を停止する。なお、禁止との応答を得た場合、ハードディスク動作制御部１１ｇは、所定の時間をおいて競合動作設定制御部１１ｈに上記の問い合わせを再度行っても良い。
【００３６】
競合動作設定制御部１１ｈは、バイブレータ動作制御部１１ｆからのバイブレータ１７ａを振動させる要求を受信して、その振動の可否を判断し、許可と判断された場合バイブレータ１７ａを振動させる。また、禁止と判断された場合、振動させない。また、競合動作設定制御部１１ｈは、ハードディスク動作制御部１１ｇからのハードディスク１８ａへのアクセスの可否の問い合わせを受け、これらの問い合わせに可否の応答を送ることにより、バイブレータ１７ａとハードディスク１８ａが競合して動作することを回避する制御を行う。
【００３７】
この回避するための制御は、キーボード１６ａの所定のキー操作によって競合動作設定制御部１１ｈ内に記憶された優先関係と、競合回避情報１１ｉに記憶されたいずれかの動作を許可と判断するかの情報とに従って制御される。競合回避情報１１ｉは、ハードディスク１８ａの動作が禁止されているか否かと、バイブレータ１７ａの動作が禁止されているか否かとを記憶する。
【００３８】
通信部１２ｂは、アンテナ１２ａが受信した高周波信号を送受信部１３へ出力し、また、送受信部１３から出力される高周波信号をアンテナ１２ａより送信する。
【００３９】
送受信部１３は、通信部１２ｂからの高周波信号を増幅、周波数変換及び復調し、それによって得られたディジタル音声信号を通話部１４ｃへ、また、制御信号を通信制御部１１ｂに送る。更には、通話部１４ｃから出力されるディジタル音声信号、及び通信制御部１１ｂから出力される制御信号を変調、周波数変換及び増幅し、高周波信号を得て、それを通信部１２ｂに送る。
【００４０】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００４１】
ディスプレイ制御部１５は、表示制御部１１ｃに制御されることで、カーソルを含む文字・数字を含む画像データをディスプレイ１５ａに表示させ、表示されているデータは、キーボード制御部１６からの通知に基づいた入力制御部１１ｅからの指示や、着信信号に基づいた通信制御部１１ｂからの要求を受けることで切換わる。
【００４２】
キーボード制御部１６は、キーボード１６ａのキーが押下されると、そのキーの識別子を入力制御部１１ｅに通知し、その通知に従って、ディスプレイ制御部１５によってディスプレイ１５ａに文字として表示されたり、通信制御部１１ｂによって通信が開始されたり終了されたりする。
【００４３】
バイブレータ制御部１７は、バイブレータ動作制御部１１ｆに制御されることによって、バイブレータ１７ａを指定された振動パターンで振動させる。
【００４４】
記憶装置制御部１８は、ハードディスク動作制御部１１ｇに制御されることによって、ハードディスク１８ａの板材を回転させ、ハードディスク１８ａへのアクセスを行わせる。
【００４５】
電子メール送受信部２１は、キーボード１６ａの所定のキーが操作された場合、入力制御部１１ｅによって起動され、キーボード１６ａの所定のキー操作によって電子メールを作成し、その電子メールを通信制御部１１ｂを介して送信する。また、通信制御部１１ｂが電子メール着信信号を受信すると起動され、電子メールを受信する。そして、電子メールが受信された旨を表示制御部１１ｃを介してディスプレイ１５ａに表示する。受信された電子メールに音楽コンテンツからなる添付ファイルが添付されていた場合、電子メール送受信部２１は、その音楽コンテンツをハードディスク動作制御部１１ｇに要求してハードディスク１８ａに格納する。
【００４６】
また、電子メール送受信部２１は、キーボード１６ａの所定のキーが操作された場合、受信された電子メールを表示制御部１１ｃを介してディスプレイ１５ａに表示し、その電子メールを表示した旨を通信制御部１１ｂに通知する。ここで、電子メール送受信部２１は、電子メールの一部、例えば、その電子メールの送信元を識別する情報であっても表示された電子メールは、その電子メールを表示した旨を通信制御部１１ｂに通知する。
【００４７】
音楽再生部２２は、通信制御部１１ｂによって起動され、音楽再生部２２内に記憶された着信音をスピーカ２２ａから発生させる。また、キーボード１６ａの所定のキーが操作された場合、入力制御部１１ｅによって起動され、ハードディスク動作制御部１１ｇに要求してハードディスク１８ａに記憶された音楽コンテンツを読み込んで、その音楽コンテンツをスピーカ２２ａから発生させる。
【００４８】
以下、本実施形態に係る移動通信端末装置の機能制御部１１による、バイブレータ１７ａの動作と、ハードディスク１８ａの動作とが競合することを回避する動作を説明する。
【００４９】
（競合回避情報１１ｉの構成）
図３に一例を示す競合回避情報１１ｉは、ハードディスク１８ａの動作が禁止されているか否かを示すハードディスク動作禁止設定１１ｊと、バイブレータ１７ａの動作が禁止されているか否かを示すバイブレータ動作禁止設定１１ｋとが対応付けられた情報からなる。
【００５０】
図３（ａ）は、ハードディスク動作禁止設定１１ｊには「許可」なる情報が、バイブレータ動作禁止設定１１ｋには「許可」なる情報が記憶され、ハードディスク１８ａの動作要求があれば許可され、バイブレータ１７ａの動作要求があれば動作させることが示されている。これは、例えば、装置の電源が投入された際に記憶される情報である。
【００５１】
図３（ｂ）は、ハードディスク動作禁止設定１１ｊには「許可」なる情報が、バイブレータ動作禁止設定１１ｋには「禁止」なる情報が記憶され、ハードディスク１８ａの動作要求があれば許可され、バイブレータ１７ａの動作要求があっても動作させないことが示されている。これは、例えば、キーボード１６ａの操作によってバイブレータ１７ａが動作する状況にあるが、ハードディスク１８ａの動作が優先される際に記憶される情報である。
【００５２】
図３（ｃ）は、ハードディスク動作禁止設定１１ｊには「禁止」なる情報が、バイブレータ動作禁止設定１１ｋには「許可」なる情報が記憶され、ハードディスク１８ａの動作要求があれば許可されず、バイブレータ１７ａの動作要求があれば許可されることが示されている。これは、例えば、キーボード１６ａの操作によってバイブレータ１７ａが動作する状況にあり、バイブレータ１７ａの動作が優先される際に記憶される情報である。
【００５３】
なお、ハードディスク動作禁止設定１１ｊまたはバイブレータ動作禁止設定１１ｋに「禁止」なる情報が記憶されている場合、必ずしもそれぞれハードディスク１８ａまたはバイブレータ１７ａの動作が禁止されると限るものではない。後述するように、他方の動作を一時停止させた上でそれぞれハードディスク１８ａまたはバイブレータ１７ａを動作させることもある。
【００５４】
（電子メール送受信部２１または音楽再生部２２の要求によるハードディスク１８ａの動作の可否）
電子メール送受信部２１及び音楽再生部２２は、ハードディスク１８ａへのアクセスをハードディスク動作制御部１１ｇに要求する。ハードディスク動作制御部１１ｇは、その要求を受けると、競合動作設定制御部１１ｈにそのアクセスの可否を問い合わせ、許可の応答があればアクセスする。そして、禁止の応答があれば、ハードディスク１８ａの動作を停止させ、禁止の応答があった旨を表示制御部１１ｃを介してディスプレイ１５ａに表示する。そして、所定の時間が経過後に再度ハードディスク１８ａへのアクセスをハードディスク動作制御部１１ｇに要求する。
【００５５】
競合動作設定制御部１１ｈは、ハードディスク動作禁止設定１１ｊに「許可」なる情報が記憶されていれば、ハードディスク動作制御部１１ｇからの可否の問い合わせに対して許可の応答をする。ハードディスク動作禁止設定１１ｊに「禁止」なる情報が記憶されていれば、競合動作設定制御部１１ｈは、上記問い合わせに対して禁止の応答をする。
【００５６】
なお、競合動作設定制御部１１ｈは、ハードディスク動作制御部１１ｇからのハードディスク１８ａへのアクセスの可否の問い合わせに対して許可の応答をした際、バイブレータ動作禁止設定１１ｋに「禁止」なる情報を記憶しても良い。この場合、バイブレータ１７ａの動作が禁止されるが、競合動作設定制御部１１ｈは、後述するように、一時的にハードディスク１８ａの動作を停止して、バイブレータ１７ａを動作させる制御を行うこともある。また、この場合、ハードディスク動作制御部１１ｇは、ハードディスク１８ａへのアクセスの終了を競合動作設定制御部１１ｈに通知し、競合動作設定制御部１１ｈは、この通知に応じてバイブレータ動作禁止設定１１ｋに「許可」なる情報を記憶する。
【００５７】
また、競合動作設定制御部１１ｈは、ハードディスク動作禁止設定１１ｊに「禁止」なる情報が記憶されている場合、バイブレータ動作制御部１１ｆを制御してバイブレータ１７ａの動作を停止させた上で、ハードディスク動作制御部１１ｇからの可否の問い合わせに対して許可の応答をしても良い。
【００５８】
（通話着信報知用バイブレータ１７ａの動作の可否）
既に述べた通り、通信制御部１１ｂは、送受信部１３から通話着信信号を受信すると、音楽再生部２２がハードディスク１８ａに記憶された音楽コンテンツを再生であれば、その再生を一時停止させる。この動作によって、ハードディスク１８ａの動作は停止されるので、通話着信報知用バイブレータ１７ａの動作は、ハードディスク１８ａの動作に優先され、これらの動作が競合することが回避される。
【００５９】
そして、通話が終了した際、通信制御部１１ｂは、音楽再生部２２に一時停止されていた音楽再生を再開させる。このように、通話着信報知用バイブレータ１７ａの動作は、競合動作設定制御部１１ｈ及び競合回避情報１１ｉに依存せずにハードディスク１８ａの動作に優先される。
【００６０】
（電子メール着信報知用のバイブレータ１７ａの動作の可否）
競合動作設定制御部１１ｈは、電子メール着信報知用のバイブレータ１７ａの動作と、ハードディスク１８ａの動作のいずれを優先するかを競合回避情報１１ｉによって判断する。
【００６１】
即ち、バイブレータ動作制御部１１ｆは、電子メール着信報知用にバイブレータ１７ａを振動させることを競合動作設定制御部１１ｈに要求する。すると、競合動作設定制御部１１ｈは、バイブレータ動作禁止設定１１ｋに「許可」なる情報が記憶されている場合、競合動作設定制御部１１ｈは、ハードディスク動作禁止設定１１ｊに「禁止」なる情報を記憶して、バイブレータ１７ａを振動させる。
【００６２】
なお、上述のように、バイブレータ動作禁止設定１１ｋに「許可」なる情報が記憶されている場合、ハードディスク１８ａが動作中であることがある。そこで、競合動作設定制御部１１ｈは、この振動をさせる前にハードディスク動作制御部１１ｇに問い合わせて、ハードディスク１８ａが動作中であるとの応答を得た場合、ハードディスク動作制御部１１ｇに要求して、ハードディスク１８ａの動作を停止させる。
【００６３】
バイブレータ動作禁止設定１１ｋに「禁止」なる情報が記憶されている場合、競合動作設定制御部１１ｈは、上記要求に対してバイブレータ１７ａを振動させない。
【００６４】
バイブレータ動作制御部１１ｆからの上記要求を停止するとの通知を受けると、競合動作設定制御部１１ｈは、バイブレータ１７ａの振動を停止させて、ハードディスク動作禁止設定１１ｊに「許可」なる情報を記憶する。また、バイブレータ１７ａを振動させる前にハードディスク動作制御部１１ｇに要求して、ハードディスク１８ａの動作を停止させた場合、ハードディスク動作制御部１１ｇにバイブレータ１７ａの振動を停止させたことを通知する。この通知により、ハードディスク動作制御部１１ｇは、ハードディスク１８ａの動作を再開させることができる。
【００６５】
なお、電子メール着信報知用のバイブレータ１７ａの動作の可否は、上述した通話着信報知用バイブレータ１７ａの動作の可否と同様に、通信制御部１１ｂによって、競合動作設定制御部１１ｈ及び競合回避情報１１ｉに依存せずにハードディスク１８ａの動作に優先される制御がされても良い。また、ハードディスク１８ａが動作中は、競合回避情報１１ｉに依存せずにバイブレータ１７ａを動作させない制御がされても良い。
【００６６】
以上説明したように、電子メール着信報知用のバイブレータ１７ａの動作の可否は、競合回避情報１１ｉによって判断しても良く、常にハードディスク１８ａの動作に優先されると判断しても良く、また、常にハードディスク１８ａの動作に優先されないと判断しても良い。このように３通りの判断のいずれかの判断が選択可能な別の例として、通話着信報知に、または電子メール着信報知にバイブレータ１７ａを用いる設定がされた場合、設定されたことを報知するためのバイブレータ１７ａの動作がある。
【００６７】
（未確認の不在着信または未読メールの存在報知用バイブレータ１７ａの動作の可否）
図４は、ハードディスク１８ａが動作中にバイブレータ動作制御部１１ｆから未確認の不在着信または未読メールの存在報知用にバイブレータ１７ａを所定の時間に渡って振動させる要求を受信した場合の競合動作設定制御部１１ｈの第１の制御動作の第１段階のフローチャートを示す。
【００６８】
この場合、競合動作設定制御部１１ｈは、未確認の不在着信または未読メールが存在する際に、開閉信号ＭＳ３ａが上下筐体ＭＳ１、ＭＳ２が閉状態であることを示した後、上下筐体ＭＳ１、ＭＳ２が開状態であることを示すと、バイブレータ動作制御部１１ｆによって起動されて動作を開始し（ステップＳ１０１ａ）、ハードディスク１８ａの状態をハードディスク動作制御部１１ｇから取得する（ステップＳ１０１ｂ）。
【００６９】
競合動作設定制御部１１ｈは、取得された状態を判断し（ステップＳ１０１ｃ）、ハードディスク１８ａが動作中、即ち、その板材が回転状態であるなら、バイブレータ動作禁止設定１１ｋに「禁止」なる情報が記憶されているか否かを判断する（ステップＳ１０１ｄ）。ここで、バイブレータ動作制御部１１ｆによって１回目に起動された場合、バイブレータ動作禁止設定１１ｋに「禁止」なる情報が記憶されていることは原則としてなく、後述するように、２回目以降に起動された場合に「禁止」なる情報が記憶されていることがある。
【００７０】
バイブレータ動作禁止設定１１ｋに「禁止」なる情報が記憶されていない、即ち、「許可」なる情報が記憶されている場合（ステップＳ１０１ｄの「Ｎｏ」）、競合動作設定制御部１１ｈは、ハードディスク動作制御部１１ｇを制御して、ハードディスク１８ａの動作を停止させる（ステップＳ１０１ｅ）。即ち、ハードディスク１８ａのヘッドを退避させ、板材の回転を停止させる。そして、ハードディスク動作禁止設定１１ｊに「禁止」を格納して、ハードディスク１８ａの動作を禁止することを記憶し（ステップＳ１０１ｆ）、バイブレータ１７ａを振動させる（ステップＳ１０１ｇ）。
【００７１】
続いて、競合動作設定制御部１１ｈは、ステップＳ１０１ｆで行ったハードディスク１８ａの動作を禁止する設定を解除する、即ち、ハードディスク動作禁止設定１１ｊに「許可」なる情報を格納してハードディスク１８ａへの動作を許可することを記憶し（ステップＳ１０１ｈ）、バイブレータ動作禁止設定１１ｋに「禁止」なる情報を格納してバイブレータ１７ａを振動させる動作を禁止することを記憶する（ステップＳ１０１ｉ）。そして、現在の時刻からバイブレータ１７ａの動作を禁止する所定の時間が経過した時刻に、競合動作設定制御部１１ｈが起動されるようにタイマ制御部１１ａに要求して（ステップＳ１０１ｊ）、第１の制御動作の第１段階を終了する（ステップＳ１０１ｋ）。
【００７２】
ステップＳ１０１ｄで、バイブレータ動作禁止設定１１ｋに「禁止」なる情報が記憶されている場合、競合動作設定制御部１１ｈは、直ちにステップＳ１０１ｋの制御動作の終了に移る。また、ステップＳ１０１ｃで、ハードディスク１８ａが動作中でないなら、競合動作設定制御部１１ｈは、直ちにステップＳ１０１ｆのハードディスク動作禁止設定１１ｊに「禁止」を格納して、ハードディスク１８ａの動作を禁止することを記憶する動作に移る。
【００７３】
以上の制御動作により、未確認の不在着信または未読メールが存在する際に上下筐体ＭＳ１、ＭＳ２が閉状態から開状態になると、少なくとも１回目にはステップＳ１０１ｇの制御動作により、バイブレータ１７ａが振動する。その際にハードディスク１８ａが動作していれば、ステップＳ１０１ｆ及びステップＳ１０１ｈの制御動作により、バイブレータ１７ａが振動中にはハードディスク１８ａが動作せず、ハードディスク１８ａの動作に悪影響を及ぼす可能性はない。
【００７４】
更に、ステップＳ１０１ｊでタイマ制御部１１ａに要求した起動がされる前に、再度ハードディスク１８ａが動作中にバイブレータ動作制御部１１ｆから未確認の不在着信または未読メールの存在報知用にバイブレータ１７ａを振動させる要求を受けた場合、競合動作設定制御部１１ｈは、ステップＳ１０１ｉでバイブレータ動作禁止設定１１ｋに「禁止」なる情報を格納しているので、ステップＳ１０１ｄで直ちにステップＳ１０１ｋの制御動作の終了に移ることによって、バイブレータ１７ａを振動させない。
【００７５】
その結果、未確認の不在着信または未読メールが存在する際に上下筐体ＭＳ１、ＭＳ２が短時間の間に閉開された場合、未確認の不在着信または未読メールが存在することを開閉の都度報知するバイブレータ１７ａの無用な振動を防ぎ、ハードディスク１８ａに記憶された音楽コンテンツを続けて再生させて聞き心地を向上させ、また、ハードディスク１８ａの消費電力の削減を図り、ハードディスク１８ａの劣化を防ぐことができる。
【００７６】
なお、ステップＳ１０１ｊで、現在の時刻から所定の時間が経過した時刻に起動されるようにタイマ制御部１１ａに要求するとしたが、これに限るものではない。例えば、上記説明した競合動作設定制御部１１ｈの制御動作がステップＳ１０１ａで開始される契機となった上下筐体ＭＳ１、ＭＳ２が開状態にあるとの開閉信号ＭＳ３ａが受信された時刻が記憶され、その時刻から所定の時間が経過した時刻に起動されるようにタイマ制御部１１ａに要求するとしても良い。
【００７７】
また、上下筐体ＭＳ１、ＭＳ２が閉状態にあるとの開閉信号ＭＳ３ａを受信するまで待ち、その信号を受信してから所定の時間が経過した時刻に起動されるようにタイマ制御部１１ａに要求するとしても良い。また、上下筐体ＭＳ１、ＭＳ２が開状態にあるときに通話が行われた場合、その通話の終了を待ち、通話が終了してから所定の時間が経過した時刻に起動されるようにタイマ制御部１１ａに要求するとしても良い。
【００７８】
図５は、ハードディスク１８ａが動作中にバイブレータ動作制御部１１ｆから未確認の不在着信または未読メールの存在報知用にバイブレータ１７ａを所定の時間に渡って振動させる要求を受信した場合の競合動作設定制御部１１ｈの第１の制御動作の第２段階のフローチャートを示す。
【００７９】
即ち、上記ステップＳ１０１ｊでタイマ制御部１１ａに要求したことにより、競合動作設定制御部１１ｈが起動された際の制御動作の第１のフローチャートを示す。競合動作設定制御部１１ｈは、ステップＳ１０１ｊで指定したバイブレータ１７ａの動作を禁止する時間が経過した時刻にタイマ制御部１１ａによって起動され、制御動作を開始する（ステップＳ１０１ｍ）。そして、ステップＳ１０１ｉで行ったバイブレータ１７ａを振動させる動作を禁止する設定を解除する、即ち、バイブレータ動作禁止設定１１ｋに「許可」なる情報を更新格納してバイブレータ１７ａの動作を許可する設定とし（ステップＳ１０１ｎ）、制御動作を終了する（ステップＳ１０１ｏ）。
【００８０】
図６は、競合動作設定制御部１１ｈの第１の制御動作の第２段階のフローチャートの別の例を示す。即ち、上記ステップＳ１０１ｊでタイマ制御部１１ａに要求したことにより、競合動作設定制御部１１ｈが起動された際の制御動作の第２のフローチャートを示す。この制御動作は、上記図５に示すフローチャートで説明した制御動作と類似しており、同じ動作には同じ符号を付して説明を省略する。
【００８１】
ステップＳ１０１ｊで指定した時刻は、ステップＳ１０１ｊの動作が行われた時刻にキーボード１６ａの所定のキー操作によって指定された時間を加えた時刻であり、競合動作設定制御部１１ｈは、その時刻にタイマ制御部１１ａによって起動され、制御動作を開始する（ステップＳ１０１ｐ）。そして、ステップＳ１０１ｎのバイブレータ動作禁止設定１１ｋに「許可」なる情報を更新格納する動作に移る。
【００８２】
以上説明したように、競合動作設定制御部１１ｈは、ステップＳ１０１ｎでバイブレータ動作禁止設定１１ｋに「許可」なる情報を更新格納するので、未確認の不在着信または未読メールが存在する際に上下筐体ＭＳ１、ＭＳ２が所定時間以上の間隔をおいて閉開された場合、上記存在を報知するためにバイブレータ１７ａを振動させることとなり、上記存在を装置の使用者に失念させないために有効である。
【００８３】
また、競合動作設定制御部１１ｈは、ステップＳ１０１ｇでバイブレータ１７ａを振動させた際に、未確認の不在着信または未読メールの識別子を記憶し、その記憶された識別子で識別される未確認の不在着信または未読メール以外の未確認の不在着信または未読メールの報知に際して、ステップＳ１０１ｄでバイブレータ１７ａの動作が禁止されていると判断された場合、即ち、ステップＳ１０１ｉでバイブレータ１７ａの動作が禁止されてからステップＳ１０１ｎでその禁止が解除されるまでの間であっても、ステップＳ１０１ｅ〜ステップＳ１０１ｋの動作を行って、バイブレータ１７ａによる報知を行っても良い。
【００８４】
また、競合動作設定制御部１１ｈは、上記記憶された識別子で識別される未確認の不在着信または未読メールをバイブレータ１７ａの動作によって報知することはない、即ち、ある識別子で識別される未確認の不在着信または未読メールをバイブレータ１７ａの動作によって報知することは１回に限るとしても良い。この場合、ステップＳ１０１ｉのバイブレータ１７ａの動作を禁止する動作、ステップＳ１０１ｊのバイブレータ１７ａの動作を禁止する所定の時間が経過した時刻に起動されるようにタイマ制御部１１ａに要求する動作、及び、第１の制御動作の第２段階の動作は不要である。
【００８５】
図７は、ハードディスク１８ａが動作中にバイブレータ動作制御部１１ｆから未確認の不在着信または未読メールの存在報知用にバイブレータ１７ａを振動させる要求を受けた場合の競合動作設定制御部１１ｈの第２の制御動作の第１段階のフローチャートを示す。この第２の制御動作の第１段階は、上記第１の制御動作の第１段階と類似しており、同じ動作には同じ符号を付して説明を省略する。
【００８６】
競合動作設定制御部１１ｈは、起動されると、ステップＳ１０１ａ〜Ｓ１０１ｃ及びステップＳ１０１ｅ〜Ｓ１０１ｇの動作を続けることにより、バイブレータ動作禁止設定１１ｋに記憶された情報に限らず、ハードディスク１８ａを停止させて、バイブレータ１７ａを振動させる。続いて、競合動作設定制御部１１ｈは、現在の時刻からハードディスク１８ａの動作を禁止する所定の時間が経過した時刻に、競合動作設定制御部１１ｈが起動されるようにタイマ制御部１１ａに要求して（ステップＳ１０１ｒ）、制御動作を終了する（ステップＳ１０１ｓ）。
【００８７】
以上の制御動作により、未確認の不在着信または未読メールが存在する際に上下筐体ＭＳ１、ＭＳ２が閉状態から開状態になると、ハードディスク１８ａの動作を禁止することによって音楽再生部２２による音楽再生が停止されたまま、ステップＳ１０１ｇの制御動作により、バイブレータ１７ａが振動する。この結果、不在着信の確認か未読メールの表示を強く促すことができる。また、ハードディスク１８ａの消費電力の削減を図り、ハードディスク１８ａの劣化を防ぐことができる。
【００８８】
図８は、ハードディスク１８ａが動作中にバイブレータ動作制御部１１ｆから未確認の不在着信または未読メールの存在報知用にバイブレータ１７ａを振動させる要求を受けた場合の競合動作設定制御部１１ｈの第２の制御動作の第２段階のフローチャートを示す。
【００８９】
即ち、上記ステップＳ１０１ｒでタイマ制御部１１ａに要求したことにより、競合動作設定制御部１１ｈが起動された際の制御動作の第１のフローチャートを示す。競合動作設定制御部１１ｈは、ステップＳ１０１ｒで指定した一定の時間が経過した際にタイマ制御部１１ａによって起動され、制御動作を開始する（ステップＳ１０１ｕ）。そして、ステップＳ１０１ｆで行ったハードディスク１８ａの動作を禁止する設定を解除する、即ち、ハードディスク動作禁止設定１１ｊに「許可」なる情報を更新格納してハードディスク１８ａの動作を許可する設定とし（ステップＳ１０１ｖ）、制御動作を終了する（ステップＳ１０１ｗ）。
【００９０】
図９は、競合動作設定制御部１１ｈの第２の制御動作の第２段階のフローチャートを示す。即ち、上記ステップＳ１０１ｒでタイマ制御部１１ａに要求したことにより、競合動作設定制御部１１ｈが起動された際の制御動作の第２のフローチャートを示す。この制御動作は、上記図８に示すフローチャートで説明した制御動作と類似しており、同じ動作には同じ符号を付して説明を省略する。
【００９１】
ステップＳ１０１ｒで指定した時刻は、ステップＳ１０１ｒの動作が行われた時刻にキーボード１６ａの所定のキー操作によって指定された時間を加えた時刻であり、競合動作設定制御部１１ｈは、その時刻にタイマ制御部１１ａによって起動され、制御動作を開始する（ステップＳ１０１ｘ）。そして、ステップＳ１０１ｖのハードディスク動作禁止設定１１ｊに「許可」なる情報を更新格納する動作に移る。
【００９２】
以上説明したように、競合動作設定制御部１１ｈは、ステップＳ１０１ｖでハードディスク動作禁止設定１１ｊに「許可」なる情報を更新格納するので、未確認の不在着信または未読メールが存在する際に上下筐体ＭＳ１、ＭＳ２が閉開された場合、所定時間に渡ってハードディスク１８ａを動作させないことにより音楽再生を停止するが、所定時間経過後にはハードディスク１８ａを動作させることにより音楽再生を再開する。この結果、不在着信の確認か未読メールの表示がされる可能性が低い場合、音楽再生の一時停止を無期限に続けることを避けることができる。
【００９３】
なお、上記所定時間が経過する前に未確認の不在着信または未読メールが存在しなくなった場合、通信制御部１１ｂはその旨を競合動作設定制御部１１ｈに通知し、競合動作設定制御部１１ｈは、ハードディスク動作禁止設定１１ｊに「許可」なる情報を更新格納して、ハードディスク１８ａの動作を許可することにより音楽再生を再開させても良い。
【００９４】
（振動パターン選択用メニューを介したバイブレータ１７ａの動作の可否）
既に説明した通り、バイブレータ動作制御部１１ｆは、通話着信信号が受信された場合などの複数の場合にバイブレータ１７ａを振動させる振動パターンを決定するため、メニュー制御部１１ｄに要求して、振動パターンの識別情報の一覧からなるメニューをディスプレイ１５ａに表示させ、キーボード１６ａの所定のキー操作に応じて、指定された振動パターンでバイブレータ１７ａを振動させ、更に、それぞれの場合にバイブレータ１７ａを振動させる振動パターンを決定し、バイブレータ動作制御部１１ｆ内に記憶する。
【００９５】
即ち、バイブレータ動作制御部１１ｆは、キーボード１６ａの所定のキー操作によって振動パターン決定の動作を開始し、キーボード１６ａの所定のキー操作によって上記いずれの場合の振動パターン決定であるかを指定され、ディスプレイ１５ａに振動パターンからなるメニューを表示し、競合動作設定制御部１１ｈに上記メニューが表示されたことを通知する。
【００９６】
図１０は、振動パターンの識別情報の一覧からなるメニューの一例を示し、ディスプレイ１５ａに振動パターン選択メニュー１５ｂが表示されている。振動パターン選択メニュー１５ｂは、「振動パターン１」、「振動パターン２」、「振動パターン３」及び「振動パターン４」の４つの項目が縦方向に連なってなり、いずれかの項目にカーソル位置が置かれる。
【００９７】
カーソル位置が置かれる項目は、例えばキーボード１６ａのワープ十字キーの操作によって上下方向に移動される。カーソル位置が置かれた項目は、その他の項目とは異なった表示形態で表示される。図１０では、項目「振動パターン２」にカーソル位置が置かれていることを、その項目にハッチングを施すことで示す。
【００９８】
カーソル位置が置かれる項目を移動した場合、バイブレータ動作制御部１１ｆは、新たにカーソル位置が置かれた項目が示す振動パターンでバイブレータ１７ａを振動させることを競合動作設定制御部１１ｈに要求する。
【００９９】
そして、例えばキーボード１６ａのワープ中央キーが操作されると、バイブレータ動作制御部１１ｆは、カーソル位置が置かれた項目が示す振動パターンを上記いずれの場合の振動パターンであると決定して、バイブレータ動作制御部１１ｆ内に記憶し、振動パターン選択メニュー１５ｂの表示を終了し、その表示が終了したことを競合動作設定制御部１１ｈに通知して、振動パターンを決定する動作を終了する。
【０１００】
図１１は、ハードディスク１８ａの動作と、バイブレータ動作制御部１１ｆから要求された振動パターンを決定するためのバイブレータ１７ａの振動動作との競合を回避する競合動作設定制御部１１ｈの第１の制御動作の第１段階のフローチャートを示す。
【０１０１】
競合動作設定制御部１１ｈは、所定のキー操作によってディスプレイ１５ａに振動パターン選択メニュー１５ｂが表示されたとの通知をバイブレータ動作制御部１１ｆから受けて上記競合を回避する制御動作を開始する（ステップＳ２０１ａ）。そして、ハードディスク動作制御部１１ｇに問い合わせてハードディスク１８ａの状態を取得する（ステップＳ２０１ｂ）。
【０１０２】
取得されたハードディスク１８ａの状態を判断し（ステップＳ２０１ｃ）、ハードディスク１８ａが動作中、即ち、回転状態であれば、バイブレータ動作禁止設定１１ｋに「禁止」なる情報を格納して、バイブレータ１７ａの動作を禁止する（ステップＳ２０１ｄ）。そして、そのバイブレータ１７ａは動作しない旨の表示をディスプレイ１５ａに行って（ステップＳ２０１ｅ）、制御動作の第１の段階を終了する（ステップＳ２０１ｆ）。
【０１０３】
図１２は、ハードディスク１８ａの動作と、バイブレータ動作制御部１１ｆから要求された振動パターンを決定するためのバイブレータ１７ａの振動動作との競合を回避する競合動作設定制御部１１ｈの第１の制御動作の第２段階のフローチャートを示す。
【０１０４】
競合動作設定制御部１１ｈは、所定のキー操作によってディスプレイ１５ａに表示された振動パターン選択メニュー１５ｂの表示が終了したとの通知をバイブレータ動作制御部１１ｆから受けて上記競合を回避する制御動作を開始する（ステップＳ２０１ｇ）。そして、ステップＳ２０１ｄで行ったバイブレータ１７ａの動作を禁止する設定を解除し、即ち、バイブレータ動作禁止設定１１ｋに「許可」なる情報を格納して、バイブレータ１７ａの動作を許可する（ステップＳ２０１ｈ）。そして、ステップＳ２０１ｅで行ったバイブレータ１７ａは動作しない旨の表示に代えて、バイブレータ１７ａは通常に動作するとの表示を所定時間に渡ってディスプレイ１５ａに行って（ステップＳ２０１ｉ）、制御動作の第２の段階を終了する（ステップＳ２０１ｊ）。
【０１０５】
上記第１の制御動作によって、音楽再生部２２による音楽再生が一時停止して耳障りになることを防ぐことができ、バイブレータ１７ａを振動させる前に適切な時点で音楽再生を一時停止させることを装置の使用者に促すことができる。ここで、振動パターンを決定するためのバイブレータ１７ａの振動は緊急性が乏しいので、装置の使用者の意思に従った時点で振動させることが可能である。一方、既に説明したように、着信報知用のバイブレータ１７ａの振動は緊急性があるので、音楽再生部２２による音楽再生中であっても、音楽再生を一時停止させて振動させることが適切である。
【０１０６】
図１３は、ハードディスク１８ａの動作と、バイブレータ動作制御部１１ｆから要求された振動パターンを決定するためのバイブレータ１７ａの振動動作との競合を回避する競合動作設定制御部１１ｈの第２の制御動作の第１段階のフローチャートを示す。第２の制御動作の第１段階の一部は、上述の第１の制御動作の第１段階の制御動作と同じであり、同じ動作には同じ符号を付して説明を省略する。
【０１０７】
競合動作設定制御部１１ｈは、ステップＳ２０１ｃでハードディスク１８ａが動作中、即ち、回転状態であれば、ハードディスク動作制御部１１ｇを制御して、ハードディスク１８ａのヘッドを退避させ、板材の回転を停止させて、ハードディスク１８ａの動作を停止させる（ステップＳ２０１ｋ）。一方、ステップＳ２０１ｃでハードディスク１８ａが動作中でなければステップＳ２０１ｄのハードディスク１８ａの動作を停止させる動作を行わず、続いて、ハードディスク動作禁止設定１１ｊに「禁止」なる情報を格納して、ハードディスク１８ａの動作を禁止する（ステップＳ２０１ｍ）。
【０１０８】
そして、競合動作設定制御部１１ｈは、ハードディスク１８ａは動作しない旨の表示をディスプレイ１５ａに行って（ステップＳ２０１ｎ）、制御動作の第１の段階を終了する（ステップＳ２０１ｏ）。
【０１０９】
図１４は、ハードディスク１８ａの動作と、バイブレータ動作制御部１１ｆから要求された振動パターンを決定するためのバイブレータ１７ａの振動動作との競合を回避する競合動作設定制御部１１ｈの第２の制御動作の第２段階のフローチャートを示す。
【０１１０】
競合動作設定制御部１１ｈは、所定のキー操作によってディスプレイ１５ａに表示された振動パターン選択メニュー１５ｂの表示が終了したとの通知をバイブレータ動作制御部１１ｆから受けて上記競合を回避する制御動作を開始する（ステップＳ２０１ｑ）。そして、ステップＳ２０１ｍで行ったハードディスク１８ａの動作を禁止する設定を解除し、即ち、ハードディスク動作禁止設定１１ｊに「許可」なる情報を格納して、ハードディスク１８ａの動作を許可する（ステップＳ２０１ｒ）。
【０１１１】
そして、ステップＳ２０１ｎで行ったハードディスク１８ａは動作しない旨の表示に代えて、ハードディスク１８ａは通常に動作するとの表示を所定時間に渡ってディスプレイ１５ａに行って（ステップＳ２０１ｓ）、制御動作の第２の段階を終了する（ステップＳ２０１ｔ）。
【０１１２】
この競合動作設定制御部１１ｈの第２の制御動作によって、ディスプレイ１５ａに振動パターンからなるメニューが表示されていることにより、装置がキーボード１６ａの所定のキー操作に応じて、指定された振動パターンでバイブレータ１７ａを振動させる状況にあると判断されている間、ハードディスク１８ａの動作を停止することができる。
【０１１３】
上記状況にあっては、装置の使用者の意思に従ってバイブレータ１７ａを振動させるのであり、ハードディスク１８ａの動作を停止することによって音楽再生部２２の動作が停止することが装置の使用者の意思に適うものである。また、ハードディスク１８ａの動作が停止されているので、ハードディスク１８ａの動作を停止を待つことなく、キーボード１６ａの所定のキー操作に応じて、指定された振動パターンでバイブレータ１７ａを直ちに振動させることができることが装置の使用者の意思に適うものである。
【０１１４】
さらに、上記の状況にあっては、バイブレータ１７ａを各種の振動パターンによって複数回振動させる可能性が高いと予想されるので、上記の制御動作によって、複数回ハードディスク１８ａの動作の停止及び再開を行うことによってハードディスク１８ａによる消費電力の増加と、ハードディスク１８ａの劣化を防止する効果が期待される。
【０１１５】
以上の説明では、バイブレータ動作制御部１１ｆは、ディスプレイ１５ａに振動パターンからなるメニューを表示した際に、競合動作設定制御部１１ｈに通知するとしたが、これに限るものではない。例えば、キーボード１６ａのワープ十字キーの操作によってカーソル位置が置かれる項目が移動された際、即ち、振動パターンを決定するためにバイブレータ１７ａを振動させる直前に通知しても良い。
【０１１６】
この際に通知すると、装置の使用者の意思に係らず、装置の使用者の誤操作によってバイブレータ動作制御部１１ｆは振動パターンを決定する動作を開始し、使用者は誤操作に直ちに気づいてバイブレータ動作制御部１１ｆの振動パターンを決定する動作を終了させる、即ち、バイブレータ１７ａを振動させるための操作をしないで、バイブレータ動作制御部１１ｆの振動パターンを決定する動作を終了させる場合、競合動作設定制御部１１ｈは、上記の振動パターン選択用のバイブレータ１７ａの動作と、ハードディスク１８ａの動作の競合回避の動作をしない。この場合、その競合回避の動作は不要である。
【０１１７】
以上の説明は、ハードディスク１８ａの動作停止は、板材の回転停止と、ヘッドの退避とによって行われるとしたが、これに限るものではない。ヘッドの退避によって行われても良い。なぜなら、ヘッドが退避されていれば、板材が回転中であってもバイブレータ１７ａの動作によってハードディスク１８ａの動作に悪影響が及ぶ可能性は低いからである。この場合、ハードディスク１８ａが動作中であるか否かの判断は、板材が回転中であり、かつ、ヘッドが退避されていない場合に動作中であると判断することによって行われる。また、ハードディスク１８ａの動作停止が所定の時間を越えて続く場合、ヘッドの退避に加えて板材の回転停止が行われるとしても良い。
【０１１８】
以上の説明は、バイブレータ１７ａの動作とハードディスク１８ａの動作との競合回避を例に行ったが、バイブレータ１７ａの動作と、動作中に振動を与えることが好ましくない装置の動作との競合回避について適用することが当然に可能である。動作中に振動を与えることが好ましくない装置としては、ドラム型であるか平面型であるかを問わず、また、アクセスに磁気を用いるか光の反射または透過の有無を用いるかを問わず、アクセスに記憶素子の機械的な動作を伴う記憶装置がある。また、静止画であるか動画であるかを問わず、画像撮影装置がある。
【０１１９】
以上の説明は、移動通信端末装置は、上下筐体ＭＳ１、ＭＳ２が回動することによって開閉可能であるとしたが、これに限るものではない。上下筐体ＭＳ１、ＭＳ２がスライドすることによって開閉可能であるとしても良い。ここで、開状態とは、ディスプレイ１５ａ及び／またはキーボード１６ａが装置の使用者によって視認される状態であり、閉状態とは、開状態でない状態である。
【０１２０】
以上の説明は、本発明を移動通信端末装置に適用した形態を例にとって行ったが、これに限るものではない。本発明は、振動する装置と、動作中に振動を与えることが好ましくない装置とを有するあらゆる情報処理装置に適用することが当然に可能である。本発明は以上の構成に限定されるものではなく、種々の変形が可能である。
【図面の簡単な説明】
【０１２１】
【図１】本発明の実施形態に係る移動通信端末装置の上下筐体を開いた際の外観図。
【図２】本発明の実施形態に係る移動通信端末装置の構成を示すブロック図。
【図３】本発明の実施形態に係る競合回避情報の構成の一例を示す図。
【図４】本発明の実施形態に係る競合動作設定制御部の制御動作のフローチャート（その１、未確認の不在着信または未読メール報知用バイブレータ動作とハードディスク動作の競合回避の第１の動作の開始）。
【図５】本発明の実施形態に係る競合動作設定制御部の制御動作のフローチャート（その２、未確認の不在着信または未読メール報知用バイブレータ動作とハードディスク動作の競合回避の第１の動作の終了）。
【図６】本発明の実施形態に係る競合動作設定制御部の制御動作のフローチャート（その３、未確認の不在着信または未読メール報知用バイブレータ動作とハードディスク動作の競合回避の第１の動作の終了の別の例）。
【図７】本発明の実施形態に係る競合動作設定制御部の制御動作のフローチャート（その４、未確認の不在着信または未読メール報知用バイブレータ動作とハードディスク動作の競合回避の第２の動作の開始）。
【図８】本発明の実施形態に係る競合動作設定制御部の制御動作のフローチャート（その５、未確認の不在着信または未読メール報知用バイブレータ動作とハードディスク動作の競合回避の第２の動作の終了）。
【図９】本発明の実施形態に係る競合動作設定制御部の制御動作のフローチャート（その６、未確認の不在着信または未読メール報知用バイブレータ動作とハードディスク動作の競合回避の第２の動作の終了の別の例）。
【図１０】本発明の実施形態に係る振動パターン選択メニューの一例を示す図。
【図１１】本発明の実施形態に係る競合動作設定制御部の制御動作のフローチャート（その７、キーボード操作によるバイブレータ動作とハードディスク動作の競合回避の第１の動作の開始）。
【図１２】本発明の実施形態に係る競合動作設定制御部の制御動作のフローチャート（その８、キーボード操作によるバイブレータ動作とハードディスク動作の競合回避の第１の動作の終了）。
【図１３】本発明の実施形態に係る競合動作設定制御部の制御動作のフローチャート（その９、キーボード操作によるバイブレータ動作とハードディスク動作の競合回避の第２の動作の開始）。
【図１４】本発明の実施形態に係る競合動作設定制御部の制御動作のフローチャート（その１０、キーボード操作によるバイブレータ動作とハードディスク動作の競合回避の第２の動作の終了）。
【符号の説明】
【０１２２】
ＭＳ１  上筐体
ＭＳ２  下筐体
ＭＳ３  ヒンジ部
ＭＳ３ａ  開閉信号
１１  機能制御部
１１ａ  タイマ制御部
１１ｂ  通信制御部
１１ｃ  表示制御部
１１ｄ  メニュー制御部
１１ｅ  入力制御部
１１ｆ  バイブレータ動作制御部
１１ｇ  ハードディスク動作制御部
１１ｈ  競合動作設定制御部
１１ｉ  競合回避情報
１１ｊ  ハードディスク動作禁止設定
１１ｋ  バイブレータ動作禁止設定
１５ａ  ディスプレイ
１５ｂ  振動パターン選択メニュー
１６ａ  キーボード
１７ａ  バイブレータ
１８ａ  ハードディスク
２２  音楽再生部
【図１】
2007251551.tif 000003
【図２】
2007251551.tif 000004
【図３】
2007251551.tif 000005
【図４】
2007251551.tif 000006
【図５】
2007251551.tif 000007
【図６】
2007251551.tif 000008
【図７】
2007251551.tif 000009
【図８】
2007251551.tif 000010
【図９】
2007251551.tif 000011
【図１０】
2007251551.tif 000012
【図１１】
2007251551.tif 000013
【図１２】
2007251551.tif 000014
【図１３】
2007251551.tif 000015
【図１４】
2007251551.tif 000016